(57)【特許請求の範囲】
【請求項１】
盤面上に設けられた、始動入賞口への遊技球の入賞又はゲートへの遊技球の通過により、所定の確率で大当たりとする大当たり抽選を行い、この抽選結果に応じた抽選結果報知演出を表示器により行わせ、所定時間後にその抽選結果報知演出を停止させ、この停止時の前記表示器による報知表示態様に応じた遊技状態にパチンコ機各部を制御する主制御装置を備え、
この主制御装置は、所定の抽選結果報知演出時間短縮条件が充足されると前記抽選結果報知演出の時間を短縮させる抽選結果報知演出時間短縮機能、又は所定の確率変動条件が充足されると前記大当たり抽選において大当たりとする確率を高い値に変動させる確率変動機能を有するパチンコ機において、
遊技球の前記始動入賞口への入賞又はゲートへの通過による前記抽選結果に応じ、当たり球排出口又は外れ球排出口に遊技球を振り分けて排出させる振分け回転体と、
この振分け回転体を回転させる駆動源と、
駆動源として前記駆動源が兼用されると共に、前記振分け回転体の回転に応じさせて動作させ、前記盤面において目視不能から目視可能に出現させる報知体を備える機能報知機構と、を備え、
前記振分け回転体は、遊技球を、前記抽選結果が外れの場合は、基本的に前記外れ球排出口に振り分けるが、例外的に前記当たり球排出口にも振り分け可能にし、
前記当たり球排出口に振り分けた場合には、前記表示器により当たり又は外れの抽選結果報知演出を行うようにしたことを特徴とするパチンコ機。
【請求項２】
前記振分け回転体は、前記抽選結果報知演出時間短縮機能又は確率変動機能のいずれか選択された機能の作動に係る前記抽選結果に応じて所定の回転角度で停止し、
前記機能報知機構は、前記振分け回転体が所定の回転角度で停止するときにその機能の報知体を前記盤面上に目視可能に出現させるように構成され、かつ、
前記抽選結果報知演出時間短縮機能又は確率変動機能のいずれかが作動を開始し、以後、前記抽選結果報知演出が所定回数行われて終了するまで前記振分け回転体の回転を停止可能にし、
前記選択された機能の作動が終了して前記振分け回転体が回転するときに前記報知体を目視不能に退出させるように構成されたことを特徴とする請求項１に記載のパチンコ機。
【請求項３】
前記始動入賞口又はゲートは、前記盤面に設けられた入賞装置の入賞口又はゲートをなし、
前記振分け回転体、機能報知機構、報知体、及び振分け回転体と機能報知機構とで兼用される駆動源が前記入賞装置に備えられ、
この入賞装置内で前記報知体を目視可能に出現させる場合に、遊技球が前記当たり球排出口に振り分けられるようにしたことを特徴とする請求項１又は２に記載のパチンコ機。
【発明の詳細な説明】
【技術分野】
【０００１】
本発明は、始動入賞口への入賞により大当たり抽選を行い、その結果に応じた抽選結果報知演出を表示器により行い、また、所定の条件を満たしてその抽選結果報知演出の時間の短縮機能（時短機能）、又は大当たりとする確率の変動機能（確変機能）を備えたパチンコ機に関するものである。
【背景技術】
【０００２】
従来からパチンコ機には、始動入賞口に遊技球が入賞すると、図柄表示装置の複数の表示領域に表示される図柄が各々変動し、停止後の図柄（停止図柄）が予め定められた図柄で揃っていると大当たりになって大入賞口が開放動作するというパチンコ機がある。
大入賞口が開放動作する遊技状態を大当たり状態というが、大当たりになるか否かは、始動入賞口に遊技球が入賞したときのカウンタのカウント値が予め設定された大当たり値に合致するか否かの大当たり抽選により行われる。
上記カウンタは、パチンコ機の電源ＯＮ時から、例えば０〜１０７９を繰り返しカウントするものであり、これら０〜１０７９までの数値中、例えば３種類の数値が大当たり値として設定されていると、３６０分の１の確率で大当たりになる。
【０００３】
近年、この種のパチンコ機は、大当たりになる確率（大当たり確率）を、予め定められた条件を満たすことによって変動させ、遊技者の興趣を高めるようにした機種が多い。この確率の変動（確率変動）は、具体的には確率変動前、つまり通常時の大当たり確率（低確率）が上記のように３６０分の１であれば、これを例えば６０分の１にするというように高確率にすることを内容とする。
また、予め定められた条件を満たすことによって図柄の変動表示時間（抽選結果報知演出時間）を短縮させて、図柄変動表示（抽選結果報知演出）をはかどらせた機種も多い。
図柄変動表示のための始動入賞球の個数の記憶値には上限が定められている。この上限値を超え、始動入賞球が無効となる事態は、図柄の変動表示時間の短縮（以下、変動時間短縮と略称する。）、つまり図柄変動表示をはかどらせることによって避けることができる。これによれば、単位時間当たりの大当たり抽選回数が増えて、大当たりを生じさせやすくするので、遊技者にとって有利であり望むところである。
なお、上記変動時間短縮は、パチンコ機内において図柄変動表示のために選択される図柄変動パターンの種類を変動時間短縮用の図柄変動パターンに変更したり、図柄変動パターンの種類を変えずに図柄変動表示を行わせ、図柄変動表示の途中で強制的に図柄変動表示を終了させる等により行われる。
【０００４】
このような確率変動（確変）や変動時間短縮（時短）は、その実行開始後、予め定められた回数の図柄変動表示が行われる間、継続する。そして、図柄変動表示回数が予め定められた回数に達し、あるいは確率変動状態や変動時間短縮状態の継続中に大当たり状態になる等、遊技状態が変化すると、それまでの状態が解除され、通常の低確率状態や変動時間状態に戻るのが一般的である。
例えば変動時間短縮は、実行開始後、１００回の図柄変動表示が行われるまでその状態を継続し、図柄変動表示回数が１００回に達すると通常変動時間状態に戻る。
【０００５】
以上のように、確率変動状態や変動時間短縮状態は遊技者にとって有利な遊技状態であるので、このような遊技状態に入ったことや、このような遊技状態が続いていることが遊技者に報知されれば、遊技者にとって便利であり、遊技の興趣も一層高まる。
そこで従来、このような遊技状態において、可動物報知手段の例えばキャラククタ人形を駆動してこの人形を遊技者が目視可能に出現させ、有利な遊技状態を報知するようにしたパチンコ機が開発された（例えば、特許文献１参照）。
【０００６】
【特許文献１】特開２００３−２１０６９３号公報
【発明の開示】
【発明が解決しようとする課題】
【０００７】
しかしながら、特許文献１に記載の従来技術では、可動物報知手段の駆動源（モータ等）は、同手段に専用のものであり、コストが上昇する上に占有スペースも増えることになり、従来、この点についての改善が要望されていた。
【０００８】
本発明は、上記のような要望に鑑みなされたもので、低コスト、省スペースにて確率変動状態や抽選結果報知演出の時間短縮状態を遊技者に報知可能なパチンコ機を提供することにある。
【課題を解決するための手段】
【０００９】
上記課題を解決するための手段を以下に述べる。
各手段は、項に区分し、各項に番号を付し、必要に応じて他の項の番号を引用する形式で記載する。これは、本発明の理解を容易にするためであって、本明細書に記載の技術的特徴が以下の各項に記載のものに限定されるものではない。
以下の各手段のうち、（１）項が請求項１に、（２）項が請求項２に、（３）項が請求項３に、各々対応する。
【００１０】
（１）盤面上に設けられた、始動入賞口への遊技球の入賞又はゲートへの遊技球の通過により、所定の確率で大当たりとする大当たり抽選を行い、この抽選結果に応じた抽選結果報知演出を表示器により行わせ、所定時間後にその抽選結果報知演出を停止させ、この停止時の前記表示器による報知表示態様に応じた遊技状態にパチンコ機各部を制御する主制御装置を備え、この主制御装置は、所定の抽選結果報知演出時間短縮条件が充足されると前記抽選結果報知演出の時間を短縮させる抽選結果報知演出時間短縮機能、又は所定の確率変動条件が充足されると前記大当たり抽選において大当たりとする確率を高い値に変動させる確率変動機能を有するパチンコ機において、遊技球の前記始動入賞口への入賞又はゲートへの通過による前記抽選結果に応じ、当たり球排出口又は外れ球排出口に遊技球を振り分けて排出させる振分け回転体と、この振分け回転体を回転させる駆動源と、駆動源として前記駆動源が兼用されると共に、前記振分け回転体の回転に応じさせて動作させ、前記盤面において目視不能から目視可能に出現させる報知体を備える機能報知機構と、を備え、前記振分け回転体は、遊技球を、前記抽選結果が外れの場合は、基本的に前記外れ球排出口に振り分けるが、例外的に前記当たり球排出口にも振り分け可能にし、前記当たり球排出口に振り分けた場合には、前記表示器により当たり又は外れの抽選結果報知演出を行うようにしたことを特徴とするパチンコ機。
（２）前記振分け回転体は、前記抽選結果報知演出時間短縮機能又は確率変動機能のいずれか選択された機能の作動に係る前記抽選結果に応じて所定の回転角度で停止し、前記機能報知機構は、前記振分け回転体が所定の回転角度で停止するときにその機能の報知体を前記盤面上に目視可能に出現させるように構成され、かつ、前記抽選結果報知演出時間短縮機能又は確率変動機能のいずれかが作動を開始し、以後、前記抽選結果報知演出が所定回数行われて終了するまで前記振分け回転体の回転を停止可能にし、前記選択された機能の作動が終了して前記振分け回転体が回転するときに前記報知体を目視不能に退出させるように構成されたことを特徴とする（１）項に記載のパチンコ機。
（３）前記始動入賞口又はゲートは、前記盤面に設けられた入賞装置の入賞口又はゲートをなし、前記振分け回転体、機能報知機構、報知体、及び振分け回転体と機能報知機構とで兼用される駆動源が前記入賞装置に備えられ、この入賞装置内で前記報知体を目視可能に出現させる場合に、遊技球が前記当たり球排出口に振り分けられるようにしたことを特徴とする（１）項又は（２）項に記載のパチンコ機。
【発明の効果】
【００１１】
（１）項に記載の発明によれば、低コスト、省スペースにて確率変動状態や抽選結果報知演出の時間短縮状態を遊技者に報知可能なパチンコ機を提供できる。
（２）項に記載の発明によれば、（１）項に記載の発明の効果に加えて、振分け回転体の回転角度に同期した、抽選結果報知演出の時間短縮機能（時短機能）又は確率変動機能（確変機能）の報知が可能なパチンコ機を提供できる。
（３）項に記載の発明によれば、（１）項又は（２）項に記載の発明において、盤面で、振分け回転体の演出や、報知体による時短機能、確変機能の作動開始の報知を楽しむことができる。
【発明を実施するための最良の形態】
【００１２】
以下、本発明の実施の形態を図面に基づき説明する。なお、各図間において、同一符号は同一又は相当部分を示す。
図１は、本発明によるパチンコ機の一実施形態の要部を示す正面図である。
この図において、１はパチンコ機遊技盤の盤面であり、この盤面１上には、ほぼ円弧状にレール２が取り付けられており、このレール２の内側には、遊技領域３が設定されている。レール２は、図示しないハンドルの操作により発射された遊技球（図示せず）を盤面１の左側上部から遊技領域３へ送り込むように案内する。
【００１３】
盤面１上には、レール２の他にも種々の盤面構成部品が設けられている。すなわち、盤面１のほぼ中央には入賞装置４が設けられ、その下方には大入賞口５が設けられている。その他、いくつかの入賞口６、ゲート７、風車８、ランプ９等が盤面１上に設けられている。
【００１４】
上記大入賞口５は、開放動作時に、他の入賞口６よりも入賞が著しく容易な形態、つまり入賞開口が著しく大きくなるように構成されている。
盤面１上のレール２の内側の最下部には、入賞しなかった遊技球が入球するアウト口１０が設けられ、更に、上記各部品４〜９やアウト口１０を避けた適宜箇所には、多数の遊技釘１１が打ち込まれている。
盤面１は透明ガラス板（図示せず）により覆われ、遊技球の遊技領域３からの離脱が阻止される。
【００１５】
上記レール２により案内されて盤面１の上部に打ち込まれた遊技球（図示せず）は、盤面１上に配置された遊技釘１１、風車８等によって流下の方向に変化を与えられながら入賞口６や入賞装置４に入賞し、あるいはゲート７を通過し、あるいは更に流下する。入賞しなかった遊技球はアウト口１０から遊技盤外に排出される。
【００１６】
入賞装置４は、図２に取り出し、拡大して示すように、上部から下部に向かって、始動入賞口２１、第１表示器２２、振分け回転体２３及び第２表示器２４を備えてなる。
上記始動入賞口２１は、ゲート７を遊技球が通過することによって、対向する一対の可動片２１ａ，２１ａが各々外側に開いて遊技球入賞を容易にする所謂電動チューリップと称される入賞口で、入賞装置４の入賞口となっている。
【００１７】
第１表示器２２は、始動入賞口２１への遊技球の入賞（始動入賞口スイッチＯＮ）により、所定の確率で大当たりとする大当たり抽選の結果（抽選結果）に応じて第１の抽選結果報知演出を行う表示器である。
ここでは、各々発光源にＬＥＤが用いられた☆形の３つの表示部と×形の４つの表示部を備えてなる。これらの表示部は、始動入賞口２１に遊技球が入賞した時（抽選時）の、カウンタのカウント値に応じたパターン（点消灯の順序及び時間等のパターン）で点消灯する。そして、そのパターンに応じた時間の経過後、☆形表示部又は×形表示部のいずれかを点灯した状態で演出を終了する。上記カウンタは、パチンコ機を統括制御する主制御装置（図示せず）内に備えられている。
抽選結果が当たりであれば☆形表示部が点灯した状態で演出を終了する。外れであれば、基本的には×形表示部が、例外的には☆形表示部が、点灯した状態で演出を終了する。演出終了時の☆形表示部又は×形表示部の点灯は一定時間後に終了する。
【００１８】
第２表示器２４は、上記大当たり抽選に応じて第２の抽選結果報知演出を行う表示器である。ここでは、７セグメント数字表示素子２４ａを２つ横並びに配設してなり、各数字表示素子２４ａが抽選時の上記カウント値に応じたパターン（数字変動表示及び表示時間等のパターン）で数字を変動表示し、そのパターンに応じた時間の経過後、各々０〜９までの数字のいずれかを表示した状態で演出を終了する。
抽選結果が当たりであれば３、３又は７、７の数字が表示された状態で演出を終了する。抽選結果が外れであれば３、３と７、７以外の数字が表示された状態で演出を終了する。
３、３又は７、７の数字が表示された状態で演出を終了（図柄変動表示停止）すると、つまり、抽選結果が当たりであると、この図柄変動停止後に大入賞口５が開放動作する。また、抽選結果報知演出時間短縮機能が作動を開始し、以後、抽選結果報知演出が所定回数行われるまでの間、第１表示器２２による第１の抽選結果報知演出が省略され、始動入賞口２１に遊技球が入賞すると、直接、この第２表示器２４による第２の抽選結果報知演出が行われる。つまり、入賞装置４における全体の抽選結果報知演出時間が短縮されることになって、抽選結果報知演出がはかどり、遊技者にとって有利な遊技状態となる。
なお、上記抽選結果報知演出時間の短縮は、主制御装置において抽選結果報知演出のために選択される第１表示器２２や第２表示器２４による表示のパターンの種類を抽選結果報知演出時間短縮用のパターンに変更することにより行われる。また、抽選結果報知演出時間短縮用のパターンの種類を変えずに抽選結果報知演出（表示）を行わせ、抽選結果報知演出の途中で強制的に抽選結果報知演出を終了させる等によっても可能である。
【００１９】
振分け回転体２３は、入賞装置４（始動入賞口２１）に入賞した遊技球を、上記抽選結果（当たり／外れ）に応じた遊技球排出口に振り分ける回転体である。すなわち振分け回転体２３は、入賞装置４に入賞した遊技球を、遊技者に見せながら、長孔からなる当たり球排出口２５、又は短孔からなる外れ球排出口２６のうちのどちらに排出させるかを振分ける回転体である。
振分けは、振分け回転体２３の外周に間隔を置いて形成される長短２つの切欠き２３ａ，２３ｂと、この振分け回転体２３を回転させる後述するモータとによって行われる。
またこの振分けは、第１表示器２２による第１の抽選結果報知演出終了後に行われる。第１の抽選結果報知演出終了時の第１表示器２２の表示結果（☆形表示部が点灯して演出終了したのか、×形表示部が点灯して演出終了したのかの別）と、振分け回転体２３による遊技球の振分け結果とが一致することは勿論である。
図２においては図示を省略しているが、振分け回転体２３の正面側は、この振分け回転体２３からの遊技球離脱防止用兼装飾用の透光性窓板２７で覆われている（図１参照）。
【００２０】
振分け回転体２３を回転させるモータの回転制御は、上記主制御装置の統括制御に基づいて行われる。
主制御装置は、上記大当たり抽選を行い、この抽選結果に応じた抽選結果報知演出を、上述したように第１表示器２２により行わせ、又は第１及び第２表示器２４により順次行わせ、所定時間後にその抽選結果報知演出を停止させる。そして、その停止時の第１表示器２２、第２表示器２４による報知表示態様に応じた遊技状態（大当たり状態や大当たり状態以外の遊技状態）にパチンコ機各部を制御する。
この主制御装置は、所定の抽選結果報知演出時間短縮条件が充足されると上記抽選結果報知演出の時間を短縮させる抽選結果報知演出時間短縮機能（時短機能）や、所定の確率変動条件が充足されると上記大当たり抽選において大当たりとする確率を高い値に変動させる確率変動機能（確変機能）を有する。
【００２１】
振分け回転体２３は、上記主制御装置によるモータ制御によって始動入賞口２１に入賞した遊技球（入賞球）を上記抽選結果（当たり／外れ）に応じた遊技球排出口に振り分ける。
すなわち、抽選結果が外れの場合は、基本的には、遊技球を受けた短切欠き２３ｂを上記外れ球排出口２６に対向させ、外れに係る入賞球を外れ球排出口２６に、自重と短切欠き２３ｂ底面に形成された傾斜によって転動させ、排出させる。例外的には、遊技球を受けた短切欠き２３ｂを当たり球排出口２５に対向させ、抽選結果が外れに係る入賞球をその当たり球排出口２５から自重と短切欠き２３ｂ底面に形成された傾斜によって転動させて、排出させる。
抽選結果が当たりの場合は、遊技球を受けた短切欠き２３ｂを例外なく当たり球排出口
２５に対向させ、当たりに係る入賞球をその当たり球排出口２５に、自重と短切欠き２３
ｂ底面に形成された傾斜によって転動させ、排出させる。
入賞球が当たり球排出口２５から排出された場合には、第２表示器２４により第２の抽選結果報知演出が行われる。
【００２２】
本実施形態では、大当たり抽選結果が当たりであれば、上述したように、その当たりに係る遊技球は当たり球排出口２５から排出されるが、その間、目視可能の上記振分けによる演出が行われた後、大入賞口５が開いて大当たり動作する（大当たり状態となる）。この動作後は、上記時短機能が作動し、予め定められた回数の抽選結果報知演出が行われる間、この作動を継続する。この作動継続中は、振分け回転体２３はその長切欠き２３ａと上記当たり球排出口２５との対向状態を保持するように制御されていて、入賞装置４に入賞した遊技球は、振分け回転体２３を経て、全て当たり球排出口２５に導かれ、排出される。
【００２３】
本実施形態においては、上記時短機能の作動時に報知体を目視可能に出現させて、時短機能が作動中である旨を報知する時短機能報知機構を備えるが、この時短機能報知機構の駆動源は、上記振分け回転体２３を回転する駆動源に兼用されている。
【００２４】
このような駆動源の兼用と、時短機能報知機構及び振分け回転体２３の両動作の同期とを可能とする時短機能報知機構、振分け回転体駆動機構の複合機構の一例を図３及び図４、並びに図５及び図６に示す。なお、図示機構は上記入賞装置４内に設けられている（図２参照）。
図３及び図５において、各々（ａ）は正面図、（ｂ）は平面図、（ｃ）は右側面図である。また、図４及び図６は斜視図である。図３及び図４は時短機能報知前の、図５及び図６は時短機能報知時の状態を示す。
【００２５】
まず、時短機能報知機構３１及び振分け回転体２３の両動作の概略について述べる。
図３及び図４において、振分け回転体２３は、時短機能の作動時には所定の角度に回転してその角度で停止し、時短機能の作動終了時には元の位置に復帰回転するようになされている。
時短機能報知機構３１は、振分け回転体２３が上記所定の角度に回転した際、時短機能の報知体、ここでは旗（時短報知旗）３２を起立により出現させて、入賞装置４（図２参照）を正面視したときに（つまり遊技者から）見えるようにする。また時短機能報知機構３１は、時短機能の作動終了時、振分け回転体２３が元の位置に復帰回転するときには時短報知旗３２を横倒しにより退出して遊技者から見えないようにしている。この場合、上記のように時短機能報知機構３１を駆動するモータは振分け回転体２３のモータ２８に兼用されている。
【００２６】
次に、時短機能報知機構３１と振分け回転体２３の駆動機構の複合機構について詳述する。
図３及び図４に示すように、時短機能報知機構３１と振分け回転体２３の駆動機構の複合機構は、モータ２８、ジョイント３３、第１〜第３歯車３４〜３６、振分け回転体駆動軸３７及び時短報知旗起倒動機構３８を備えて構成されている。
なお、振分け回転体２３は振分け回転体駆動軸３７の、時短報知旗は時短報知旗起倒動機構３８の、各々先端部に取り付けられている。第１〜第３歯車３４〜３６には平歯車が用いられている。
【００２７】
振分け回転体２３を、その駆動軸３７を介してモータ２８（詳しくはモータ２８の回転軸）に連結するジョイント３３部分には、図示するように第１歯車３４がモータ２８の回転軸と同軸的に連結されており、この第１歯車３４には第２歯車３５を介して第３歯車３６が噛合している。つまり、第３歯車３６は、第１歯車３４の回転駆動源と同一の回転駆動源であるモータ２８によって、第１歯車３４と同方向に同期して回転するようになされている。
【００２８】
また、時短報知旗起倒動機構３８は、第３歯車３６の正面側の平面に同軸的に固着されたカム３８ａと、このカム３８ａの外周に後端部分が摺接する軸体３８ｂと、この軸体３８ｂの先端部が自由端側に連結された回動体３８ｃと、スプリング３８ｄを備える。
上記スプリング３８ｄは、軸体３８ｂを常にカム３８ａ外周に押圧接触させ、カム３８ａの回転に応じ、カム３８ａ外周形状に倣って軸体３８ｂをカム３８ａ半径方向に移動可能とし、回動体３８ｃを回動させるための偏倚力を与える。
この時短報知旗起倒動機構３８は、更に、回動体３８ｃの回動支軸をなし、この回動体３８ｃの回動に伴って軸回りに回転する時短報知旗駆動軸３８ｅを備える。この時短報知旗駆動軸３８ｅは、適宜箇所に固定された軸受け３８ｆに支持されている。
時短報知旗３２は、時短報知旗駆動軸３８ｅの先端に連結され、同駆動軸３８ｅの回転に伴い、同駆動軸３８ｅと同方向に回動（起倒動）する。
【００２９】
上記カム３８ａの形状（外周形状）は、円弧を描く外周の一部が半径方向にほぼＶ字状に落ち込んだＶ字形状となっている。このＶ字形状部３８ｇの谷底に向かう一辺は直線状であり、これに対向する他辺は緩やかな弧を描いた形状とされていて、カム３８ａ外周に摺接する軸体３８ｂの、Ｖ字形状部３８ｇから外周部分への円滑な摺動を可能にしている。カム３８ａのＶ字形状部３８ｇの位置（回転角上の位置）は、振分け回転体２３の長切欠き２３ａの位置（回転角上の位置）に対応している。
【００３０】
このように構成された機構において、主制御装置（図示せず）が時短機能報知機構３１を作動させるためにモータ２８に通電すると、このモータ２８が回転し、振分け回転体２３を時計回りに回転させると共に、第１〜第３歯車３４〜３６を介して時短報知旗起倒動機構３８のカム３８ａを時計回りに回転させる（矢印ア、イ参照）。
カム３８ａの形状は、上述したように、振分け回転体２３の長切欠き２３ａの位置に対応する外周部分が、半径方向にほぼＶ字状に落ち込んだＶ字形状となっている。
したがって、時短機能が作動する時、つまり図７に示すように、振分け回転体２３の長切欠き２３ａが、上部側において入賞球の入口４１に対向し、下部側において当たり球排出口２５に対向する際には、時短機能報知機構３１の軸体３８ｂがカムＶ字形状部３８ｇの直線状部分に沿ってカム回転軸近傍に一気に落ち込み、時短報知旗３２を垂直に起立させる（図５〜図７参照）。すなわち時短報知旗３２を、遊技者から見えるように入賞装置４内に出現させ、時短機能の作動が開始したことを報知する。
時短報知旗３２の起立は、時短機能の作動中、つまり振分け回転体２３が停止している間、継続され、時短機能が作動中であることを知らせる。
時短機能の作動が終了して振分け回転体２３が再び時計回りに回転を開始すると、カム３８ａも再び時計回りに回転して時短報知旗３２を横倒しにし（図３、図４参照）、遊技者から見えなくして時短機能の作動終了を知らせる。
【００３１】
以上述べたように本実施形態によれば、時短機能の作動を報知するための時短機能報知機構３１を駆動するモータ２８を、振分け回転体２３を回転するモータ２８に兼用させたので、低コスト、省スペースにて時短機能報知機構３１を構成できる。
また、振分け回転体２３の回転角度に同期した時短機能の報知が可能であり、更に、盤面１のほぼ中央で、振分け回転体２３の演出や時短報知旗３２による時短機能の報知を楽しむことができる効果もある。
【００３２】
なお、時短機能報知機構の構成は上述実施形態のものに限定されることはない。時短報知旗を時短機能の作動時に遊技者から見えるようにしたものであって、その駆動源を振分け回転体の駆動源に兼用するものであれば、どのような構成でもよい。報知体も旗に限られることはなく、どのようなデザインであってもよい。報知体に、例えば「時短中です」等の文字を印刷や浮彫り等で記入して時短機能の作動中を知らせるようにしてもよい。報知体の位置も入賞装置以外の位置であってもよい。報知体が報知する機能も、時短機能に限らず確変機能であってもよい。駆動源として電動モータ以外のモータを用いてもよく、あるいはシリンダやクランク等の機構を組み合わせて駆動源として用いてもよい。
また、上述実施形態では、始動入賞口への遊技球の入賞を契機として大当たり抽選を行わせ、かつ、振分け回転体を、始動入賞口に入賞した遊技球を大当たり抽選の結果に応じた遊技球排出口に振り分けて排出するように構成した。しかしこれを、ゲートへの遊技球の通過を契機として大当たり抽選を行わせ、かつ、振分け回転体を、ゲートを通過した遊技球を大当たり抽選の結果に応じた遊技球排出口に振り分けて排出するように構成してもよい。
【図面の簡単な説明】
【００３３】
【図１】本発明によるパチンコ機の一実施形態の要部を示す正面図である。
【図２】図１中の入賞装置を取り出し、拡大して示す一部省略正面図である。
【図３】時短機能報知機構の時短機能報知前における三面図である。
【図４】図３の斜視図である。
【図５】時短機能報知機構の時短機能報知時における三面図である。
【図６】図５の斜視図である。
【図７】図２に示す入賞装置において時短機能が報知されている状態を示す正面図である。
【符号の説明】
【００３４】
１：盤面、４：入賞装置、２１：始動入賞口、２２：第１表示器、２３：振分け回転体、２３ａ：長切欠き、２３ｂ：短切欠き、２４：第２表示器、２５：当たり球排出口（遊技球排出口）、２６：外れ球排出口（遊技球排出口）、２８：モータ（駆動源）、３１：時短機能報知機構（機能報知機構）、３２：時短報知旗（報知体）。
【図１】
0005279208.tif 000002
【図２】
0005279208.tif 000003
【図３】
0005279208.tif 000004
【図４】
0005279208.tif 000005
【図５】
0005279208.tif 000006
【図６】
0005279208.tif 000007
【図７】
0005279208.tif 000008